(57)【要約】【課題】炊飯中および保温時に逃げる熱を抑えて省エネルギー化を実現した炊飯器を提供すること。【解決手段】上方に開口を有し被調理物が投入される釜２と、この釜が収容される有底筒状の釜収容ケース４および被調理物を加熱調理する加熱手段を有する炊飯器本体８と、釜２および炊飯器本体８の開口を開閉自在に覆う蓋体１４とを備え、釜収容ケース４は、釜２の底部分が収容される釜底収容部４Ａと、この釜底収容部から上方へ延設されて釜２の胴部を覆う筒状胴部４Ｂとを有し、この筒状胴部４Ｂには珪藻土からなる筒状断熱部材５が装着され、この釜底収容部４Ａの内側側壁面には珪藻土からなる断熱層５’が形成されている。【選択図】  図１
2008154831.tif 000002
【特許請求の範囲】
【請求項１】
上方に開口を有し被調理物が投入される釜と、前記釜が収容される有底筒状の釜収容ケースおよび被調理物を加熱調理する加熱手段を有する炊飯器本体と、前記釜および炊飯器本体の開口を開閉自在に覆う蓋体とを備えた炊飯器において、前記釜収容ケースは、珪藻土からなる成型体で形成されていることを特徴とする炊飯器。
【請求項２】
前記釜収容ケースは、底部に開口部が形成されており、前記開口部に釜底の温度を検出する温度センサが配設されていることを特徴とする請求項１に記載の炊飯器。
【請求項３】
前記釜収容ケースは、所定厚さの珪藻土層と前記珪藻土層の表裏面にそれぞれ保護層が設けられた積層体で形成されていることを特徴とする請求項１又は２に記載の炊飯器。
【請求項４】
前記蓋体の内部には、珪藻土からなる断熱部材が装着されていることを特徴とする請求項１ないし３のいずれかに記載の炊飯器。
【請求項５】
前記断熱部材は、所定厚さの珪藻土層と前記珪藻土層の表裏面にそれぞれ保護層が設けられた積層体で形成されていることを特徴とする請求項４に記載の炊飯器。
【請求項６】
上方に開口を有し被調理物が投入される釜と、前記釜が収容される有底筒状の釜収容ケースおよび被調理物を加熱調理する加熱手段を有する炊飯器本体と、前記釜および炊飯器本体の開口を開閉自在に覆う蓋体とを備えた炊飯器において、前記釜収容ケースは、前記釜の底部分が収容される釜底収容部と、前記釜底収容部から上方へ延設されて前記釜の胴部を覆う筒状胴部とを有し、前記筒状胴部には珪藻土からなる筒状断熱部材が装着されていることを特徴とする炊飯器。
【請求項７】
前記筒状胴部は、その直径を前記釜底収容部の開口より拡大し、この拡大箇所に部品装着スペースを形成して、前記部品装着スペースに前記筒状断熱部材が装着されていることを特徴とする請求項６に記載の炊飯器。
【請求項８】
前記筒状断熱部材は、所定厚さの珪藻土層と前記珪藻土層の表裏面にそれぞれ保護層が設けられた積層体で形成されていることを特徴とする請求項６又は７に記載の炊飯器。
【請求項９】
前記部品装着スペースには、補助加熱手段が装着されていることを特徴とする請求項７に記載の炊飯器。
【請求項１０】
前記釜底収容部の内側側壁面には、珪藻土からなる断熱層が形成されていることを特徴とする請求項６に記載の炊飯器。
【請求項１１】
前記断熱層は、所定厚さの珪藻土層と前記珪藻土層の表裏面にそれぞれ保護層が設けられた積層体で形成されていることを特徴とする請求項１０に記載の炊飯器。
【請求項１２】
前記蓋体の内部には、珪藻土からなる断熱部材が装着されていることを特徴とする請求項６ないし１１のいずれかに記載の炊飯器。
【請求項１３】
前記断熱部材は、所定厚さの珪藻土層と前記珪藻土層の表裏面にそれぞれ保護層が設けられた積層体で形成されていることを特徴とする請求項１２に記載の炊飯器。
【発明の詳細な説明】
【技術分野】
【０００１】
本発明は炊飯器に係り、特に炊飯中および保温時に炊飯器から逃げる熱を抑えて省エネルギー化を実現した電気式の炊飯器に関するものである。
【背景技術】
【０００２】
一般家庭において炊飯器は、既に必需品の一つとなっており、種々のタイプのものが開発され市販されている。特に電気式の炊飯器は、炊飯時に釜内の圧力を常圧状態で炊飯するもの或いは所定の圧力を加圧して炊飯するものがあり、一方で、炊飯終了後にもほぼ炊き立て状態のご飯を食することができるように保温機能が設けられたり、タイマー機能が設けられたりして様々な機能が付加されて多機能化してきている。このため、炊飯器の普及拡大とその多機能化にともない消費する電力量も増大してきている。
【０００３】
一方、近年、日本のみならず世界的なエネルギー事情および地球温暖化を防止する施策の一つとしてのＣＯ２削減等の観点から、電気機器が消費する電力量を低減することが法的規制を含めて要求され、この規制もその目標値が年々高くなってきている。
【０００４】
このような状況から、電気式の炊飯器においても、炊飯時および保温時等において消費する電力量を低減する方策を採り入れたものが開発されている。
【０００５】
炊飯器は、通常、上方に開口部を有する有底の釜と、この釜を収容して釜内の被炊飯物を加熱調理する炊飯器本体と、釜および炊飯器本体の開口部を覆う蓋体とで構成されている。
【０００６】
この種の炊飯器は、釜の上方が開口しており、この開口部から釜内の熱が大量に放熱されるので、開口部からの放熱を抑えるために蓋体には輻射熱を反射するアルミ箔や放熱を遮断する断熱部材が設けられている。
【０００７】
また、釜内の放熱は上方の開口部からだけでなく、釜の側方からも放熱されるので、釜収容部、すなわち釜収容ケースの胴部にも断熱部材を設けて釜側方からの放熱を抑えるようにしたものも開発されている（例えば、下記特許文献１〜３参照）。
【０００８】
例えば下記特許文献１に記載されている炊飯器は、釜を収容する炊飯器本体の胴部に亜鉛鉄板からなる筒状の遮熱板を設けて釜側方からの放熱を抑えるようにしたものである。また、下記特許文献２に記載されている炊飯器は、胴部にギャップをあけて胴断熱壁を設けたものである。さらに、下記特許文献３に記載されている胴部の断熱材は、プラスチック樹脂や樹脂材料からなる断熱材本体の内部に多数の高硬度で内部を中空にした部材からなる中空粉末を含有させたものである。
【特許文献１】特開２００２−３６０４１６号公報（段落〔００１２〕、図３）
【特許文献２】特開平１１−９４４３号公報（段落〔００３０〕、図１）
【特許文献３】特開平１１−９４６５号公報（段落〔００４０〕、図３）
【発明の開示】
【発明が解決しようとする課題】
【０００９】
しかしながら、上記特許文献１の遮熱板は、金属材からなる亜鉛鉄板で形成されているので、高い遮熱効果を期待することができない。また亜鉛鉄板は樹脂等の材料に比べて高価であり、さらに炊飯器本体に付設される補助用胴ヒータと接触する恐れがある。また、上記特許文献２の断熱手段は、所定のギャップを設けて胴断熱壁を設けているので、このギャップを保持するために機械的補強が必要となり構造が複雑になる上、釜を収容する釜収容部が大型になる。さらに、上記特許文献３の断熱材は、プラスチック樹脂、樹脂材料からなる断熱材本体の内部に高硬度で内部を中空にした部材からなる多数の中空粉末を含有させたものを使用するので、材料が特殊なものとなり高価になる。
【００１０】
本発明は、上記従来技術の課題を解決するためになされたもので、本発明の目的は、炊飯中および保温時に逃げる熱を抑えて省エネルギー化を実現した炊飯器を提供することにある。
【課題を解決するための手段】
【００１１】
上記の目的は、以下の手段によって達成される。すなわち、請求項１に記載の炊飯器の発明は、上方に開口を有し被調理物が投入される釜と、前記釜が収容される有底筒状の釜収容ケースおよび被調理物を加熱調理する加熱手段を有する炊飯器本体と、前記釜および炊飯器本体の開口を開閉自在に覆う蓋体とを備えた炊飯器において、前記釜収容ケースは、珪藻土からなる成型体で形成されていることを特徴とする。
【００１２】
請求項２の発明は、請求項１に記載の炊飯器において、前記釜収容ケースは、底部に開口部が形成されており、前記開口部に釜底の温度を検出する温度センサが配設されていることを特徴とする。
【００１３】
請求項３の発明は、請求項１又は２に記載の炊飯器において、前記釜収容ケースは、所定厚さの珪藻土層と前記珪藻土層の表裏面にそれぞれ保護層が設けられた積層体で形成されていることを特徴とする。
【００１４】
請求項４に記載の炊飯器の発明は、請求項１ないし３のいずれかに記載の炊飯器において、前記蓋体の内部には、珪藻土からなる断熱部材が装着されていることを特徴とする。
【００１５】
請求項５の発明は、請求項４に記載の炊飯器において、前記断熱部材は、所定厚さの珪藻土層と前記珪藻土層の表裏面にそれぞれ保護層が設けられた積層体で形成されていることを特徴とする。
【００１６】
請求項６の発明は、上方に開口を有し被調理物が投入される釜と、前記釜が収容される有底筒状の釜収容ケースおよび被調理物を加熱調理する加熱手段を有する炊飯器本体と、前記釜および炊飯器本体の開口を開閉自在に覆う蓋体とを備えた炊飯器において、
前記釜収容ケースは、前記釜の底部分が収容される釜底収容部と、前記釜底収容部から上方へ延設されて前記釜の胴部を覆う筒状胴部とを有し、前記筒状胴部には珪藻土からなる筒状断熱部材が装着されていることを特徴とする。
【００１７】
請求項７の発明は、請求項６に記載の炊飯器において、前記筒状胴部は、その直径を前記釜底収容部の開口より拡大し、この拡大箇所に部品装着スペースを形成して、前記部品装着スペースに前記筒状断熱部材が装着されていることを特徴とする。
【００１８】
請求項８の発明は、請求項６又は７に記載の炊飯器において、前記筒状断熱部材は、所定厚さの珪藻土層と前記珪藻土層の表裏面にそれぞれ保護層が設けられた積層体で形成されていることを特徴とする。
【００１９】
請求項９の発明は、請求項７に記載の炊飯器において、前記部品装着スペースには、補助加熱手段が装着されていることを特徴とする。
【００２０】
請求項１０の発明は、請求項６に記載の炊飯器において、前記釜底収容部の内側側壁面には、珪藻土からなる断熱層が形成されていることを特徴とする。
【００２１】
請求項１１の発明は、請求項１０に記載の炊飯器において、前記断熱層は、所定厚さの珪藻土層と前記珪藻土層の表裏面にそれぞれ保護層が設けられた積層体で形成されていることを特徴とする。
【００２２】
請求項１２の発明は、請求項６ないし１１のいずれかに記載の炊飯器において、前記蓋体の内部には、珪藻土からなる断熱部材が装着されていることを特徴とする。
【００２３】
請求項１３の発明は、請求項１２に記載の炊飯器において、前記断熱部材は、所定厚さの珪藻土層と前記珪藻土層の表裏面にそれぞれ保護層が設けられた積層体で形成されていることを特徴とする。
【発明の効果】
【００２４】
請求項１の発明によれば、炊飯器本体内の釜収容ケースは珪藻土からなる成型体で形成されているので、土鍋のように熱伝導性が低い一方断熱効果及び蓄熱効果に優れ、保温性が良好で省エネにも資するものとなる。したがって、炊飯中或いは保温中に釜内からの放熱が抑えられて熱エネルギーの節約ができる。また、この珪藻土は天然材であることから安値で簡単に入手できるので、釜収容ケースを作製するのに要する材料費が安価になり、しかも軽量にできる。
【００２５】
請求項２の発明によれば、釜収容ケースの底部に開口を形成してこの開口部に温度センサを設けることにより、釜底の温度が簡単かつ正確に検出できる。
【００２６】
請求項３の発明によれば、釜収容ケースは所定厚さの珪藻土層とこの珪藻土層の表裏面にそれぞれ保護層を設けた積層体で形成されているので、珪藻土層の型崩れおよび亀裂がなくなる。
【００２７】
請求項４の発明によれば、前記蓋体の内部には、珪藻土からなる断熱部材が装着されているので、蓋体上部からの放熱を効果的に抑えることができ、断熱効果及び蓄熱効果がさらに向上し保温性をさらに高めることができる。
【００２８】
請求項５の発明によれば、前記断熱部材は、所定厚さの珪藻土層とこの珪藻土層の表裏面にそれぞれ保護層が設けられた積層体で形成されているので珪藻土層の型崩れおよび亀裂がなくなる。
【００２９】
請求項６又は７の発明によれば、釜の胴部を囲む筒状胴部に、珪藻土からなる筒状断熱部材が装着されているので、釜収容ケースの胴部からの放熱が抑えられる。これにより、断熱効果及び蓄熱効果に優れ保温性が良好になり、炊飯中および保温中の熱の放熱を抑えて省エネルギー化を図ることができる。この珪藻土は天然材であることから安値に簡単に入手できるので、筒状断熱部材を作製するのに要する材料費が安価になり、しかも軽量にできる。
【００３０】
請求項８の発明によれば、前記筒状断熱部材は、所定厚さの珪藻土層とこの珪藻土層の表裏面にそれぞれ保護層を設けた積層体で形成されているので、珪藻土層の型崩れおよび亀裂がなくなる。
【００３１】
請求項９の発明によれば、部品装着スペースを設けることにより、筒状断熱部材および補助加熱手段の装着が容易になる。
【００３２】
請求項１０の発明によれば、釜底収容部の内側側壁面にまで珪藻土からなる断熱層が形成されているので、断熱効果及び蓄熱効果がさらに向上し保温性をさらに高めることができる。
【００３３】
請求項１１の発明によれば、前記断熱層は、所定厚さの珪藻土層とこの珪藻土層の表裏面にそれぞれ保護層を設けた積層体で形成されているので、珪藻土層の型崩れおよび亀裂がなくなる。
【００３４】
請求項１２の発明によれば、前記蓋体の内部には、珪藻土からなる断熱部材が装着されているので、蓋体上部からの放熱を効果的に抑えることができ、断熱効果及び蓄熱効果がさらに向上し保温性をさらに高めることができる。
【００３５】
請求項１３の発明によれば、前記断熱部材は、所定厚さの珪藻土層とこの珪藻土層の表裏面にそれぞれ保護層が設けられた積層体で形成されているので珪藻土層の型崩れおよび亀裂がなくなる。
【発明を実施するための最良の形態】
【００３６】
以下、図面を参照して本発明の最良の実施形態を説明する。但し、以下に示す実施形態は、本発明の技術思想を具体化するための電気式の炊飯器を例示するものであって、本発明をこの炊飯器に特定することを意図するものではなく、特許請求の範囲に含まれるその他の実施形態のものも等しく適応し得るものである。なお、図１は本発明の実施例１に係る電気式の炊飯器の縦断面図である。
【実施例１】
【００３７】
本発明の一実施形態に係る電気式の炊飯器（以下、炊飯器という）１は、炊飯中の釜内の圧力を所定圧力、例えば１．２気圧程度に加圧して炊飯する圧力式炊飯器であり、図１に示すように、上方が開口し深底の容器からなる釜２と、上方が開口しこの開口から釜２を収容し釜内の被炊飯物を加熱する加熱手段を有する炊飯器本体８と、釜２および炊飯器本体８の開口を覆う開閉自在な蓋体１４と、を有している。
【００３８】
釜２は、上方に被炊飯物が投入される大きさの開口を有し、深底の筒状容器からなりステンレス鋼等の鉄系金属材で形成されている。
【００３９】
上方の開口部には、開口縁が所定長さ外方へ延びたフランジ２Ａが形成され、このフランジ２Ａは、炊飯器本体８内に釜２が収容されたときに、外装ケース３の肩部に係止される。
【００４０】
炊飯器本体８は、上方に釜２が収容される大きさの開口を有し有底で釜２の外形と略同じ形状の釜収容ケース４と、この釜収容ケース４を保持する外装ケース３とからなり、これらのケース３、４は、合成樹脂材の成型体で形成されている。また、釜収容ケース４と外装ケース３との間に所定の隙間ＳＰが形成され、この隙間ＳＰが機器取付けおよび通風空間スペースとなっている。この隙間ＳＰには、ファンモータ９、制御基板１０等が装着されている。
【００４１】
この隙間ＳＰを設けることにより、釜収容ケース４と外装ケース３間を断熱でき、また、ファンモータ９を駆動させることによって制御基板１０等が冷却される。
【００４２】
釜収容ケース４は、釜２の外形と略同じ形状を有し深底の筒状容器となっている。この釜収容ケース４は、釜２の底部を収容する鉢状の底部４Ａと、この底部４Ａから延設されて釜２の胴部を囲む筒状胴部４Ｂとを有し、筒状胴部４Ｂは底部４Ａの上方開口部から段部４ＡＢを経て外側へ膨出し、開口の直径を拡大した大径の筒状となっている。段部４ＡＢは所定の幅長を有しており、この段部４ＡＢを底辺、胴部の内側側壁面４Ｂ’を一辺とする箇所に筒状の空間スペース４ＳＰが形成されている。この空間スペース４ＳＰは、釜収容ケース４に釜２が収容されたときに、釜２の胴部とケース４の内側側壁面４Ｂ’との間に形成されている。この空間スペース４ＳＰには、側壁面４Ｂ’に沿って補助加熱ヒータ６Ｈが装着され、また、後述する筒状断熱部材５が挿入される。また、底部４Ａの内側側壁面４Ａ’には珪藻土からなる断熱層５’が一体形成されている。筒状断熱部材５及び断熱層５’の構造等は後述する。
【００４３】
鉢状の底部４Ａには、その中心部に所定大きさの開口部４Ｃが設けられている。この開口部４Ｃには釜底の温度を検出する温度センサ７が設けられている。この温度センサ７により、釜底の温度を検出して釜２内の炊飯量等が検出される。また、底部４Ａの外底壁面には、同心状に分巻された電磁誘導コイル６Ａ、６Ｂが装着されている。これらの電磁誘導コイル６Ａ、６Ｂにより、釜２にうず電流が誘起されて釜２が自己発熱する。この胴部上方の開口部には、開口縁が所定長さ外方へ延びたフランジ４Ｄが形成され、このフランジ４Ｄが外装ケース３の肩部に係止されている。
【００４４】
外装ケース３は、釜収容ケース４との間に所定のスペースが設けられ釜収容ケース４より大きな外形を有した化粧ボックスとなっている。また、この外装ケース３の前面には、操作パネル１２が装着されている。この操作パネル１２には、各種の操作スイッチ類およびそれらの各種スイッチ類によって設定される設定状態を表示する表示装置１１が設けられている。
【００４５】
蓋体１４は、炊飯器本体８の釜収容ケース４の上方開口部を覆う内蓋１５と、この内蓋１５の上方に位置する中蓋１６と、この中蓋１６に装着されて釜内の圧力を制御する圧力弁機構１７と、全体を覆う表蓋カバー１８とを有し、一端が本体８にヒンジ機構１３で連結されている。この蓋体１４は、他端に蓋体１４の開放をロックする係止手段１９が設けられている。
【００４６】
中蓋１６の取り付けにより生じた上部との隙間には珪藻土からなる断熱部材５”が装着されている。断熱部材５”の構造等は後述する。
【００４７】
圧力弁機構１７は、圧力孔１７０を有する弁座１７１と、弁座１７１の上に自重により圧力孔１７０を塞ぐように載置される金属性のボール１７２と、このボール１７２を覆うカバー１７３と、ボール１７２を移動させるプランジャ１７Ｐとで構成されている。この圧力弁機構１７は、釜２内の圧力とボール１７２の自重とのバランスによってボールが圧力孔１７０上に載置されたり離れたりし、ボール１７２がこのように移動することによって圧力孔１７０が開閉される構造となっている。
【００４８】
このボール１７２は、プランジャ１７Ｐによって作動される。すなわち、プランジャ１７Ｐは、不図示の制御手段からの出力を受けていないときは、ロッドがシリンダから突出して圧力孔上のボール１７２を圧力孔１７０の横方向に押し、この圧力孔１７０を強制的に開放する。また、プランジャ１７Ｐが制御手段の出力を受けた時にはロッドがシリンダ内に引き込まれる。このときボール１７２は、自重により圧力孔１７０上に戻り、この圧力孔１７０が閉塞される。
【００４９】
このようにしてプランジャ１７Ｐは、圧力弁開放機構として動作し、圧力弁と圧力弁開放機構とは炊飯工程中に加圧された釜２内の圧力を強制的に低下させる。また、釜２内の圧力が異常に上昇したとき（例えば炊飯中に圧力弁が故障して開かないとき）に開放して釜２内の圧力を逃がす安全弁を有している。
【００５０】
次に、図２を参照して、筒状断熱部材５について説明する。なお、図２（ａ）は筒状断熱部材の外観斜視図、図２（ｂ）は図２（ａ）のＡ部分の拡大断面図である。
【００５１】
断熱部材５は、釜２の胴部を囲んで釜側方から放熱される熱を遮断するもので、釜収容ケース４のスペース４ＳＰに挿入される大きさ、すなわち内部に釜２の直径より若干長い直径の空洞５０を有する筒状体からなり、その高さ５ｈはスペース４ＳＰに収まる高さとなっており、珪藻土からなる成型体で形成されている。
【００５２】
また、断熱層５’は底部４Ａの内側側壁面４Ａ’に一体形成されており、珪藻土からなるものである。
【００５３】
この断熱部材５の成型体は、図２（ｂ）に示すように、所定厚さの珪藻土層５Ａと、この珪藻土層５Ａの表裏面を覆い保護する保護層５Ｂ１、５Ｂ２とで構成されている。なお、図示はしないが、断熱層５’及び断熱部材５”についても同様の構成が当てはまる。
【００５４】
断熱部材５、断熱層５’及び断熱部材５”を所定厚さの珪藻土層で形成することにより、この珪藻土層は後述する珪藻土の特性から多数の微細気孔を備えた多孔質層となっている。したがって、この多孔質空隙により断熱効果が発揮され保温効果が高まる。さらに、珪藻土層は、乾燥或いは素焼き等の段階で亀裂或いは破損することがあるので、この層の表面に保護層が設けられている。各保護層は樹脂材の皮膜で形成されているので、表面の空隙が目詰まりされて機械的強度が強くなる。
【００５５】
以下に、珪藻土の特性および珪藻土層を有する断熱部材の造り方を説明する。
【００５６】
珪藻土は、珪藻の遺骸が堆積された天然に存在する天然物であって、珪藻の外面は、珪酸質の基衣或いは組織からなる微細な水生植物の藻類、いわゆる植物性プランクトンの一種となっている。この植物性プランクトンは、体の周囲に珪酸（ＳｉＯ２）質なる殻が造られ、珪藻が死ぬことで、原形質が分解されてなくなり珪酸質の殻のみが残り、そのまま海底や湖底に珪藻殻の堆積体として沈積している。しかしながら、珪藻殻のみの堆積は少なく、堆積条件によって各種の粘土や砂、海綿、放散虫、鞭毛虫など生物の遺骸などが混入されたものとなっており、その珪藻土の色は白色ないし黄灰色をなしている。また、この珪藻土は、平均で約２５μｍ程度であり、表面および内部に１μｍ〜０．１μｍ程度の微細な気孔を多数有している。この微細孔は木炭の５０００〜６０００倍の数となっており軽量な土となっている。
【００５７】
したがって、この珪藻土からなる成型体は、珪藻土の特性から、内部が微細な空隙を有する多孔質層となっているので、この多孔質空隙を保温、断熱空間に利用することができる、また、珪藻土は天然材で豊富に存在し、安値で簡単に入手できるので、断熱部材を安価に作成することができる。
【００５８】
次に、筒状断熱部材の作り方を説明する。
【００５９】
採掘された所定大きさの塊からなる珪藻土を粉砕機によって粉砕加工し、所定粒度、例えば約１ｍｍ以下の粉末を作成する。次いで、この粉末に水を混入して土練機によって所定時間、例えば約１０分間水練りし、粘性のある塊を作成する。この水練りは、１回の水練りを所定時間にし、間に時間をあけて複数回繰り返して行うのが好ましい。複数回繰り返すことにより、粘性が増した塊を得ることができる。また、珪藻土は粘性が得られ難いのでバインダーを加えるのが好ましい。このバインダーとしては木節粘土或いは無水珪酸が好ましい。次に、この塊から筒状に成型し成型体を自然乾燥させる。その後、所定温度、例えば約７００〜１２００℃前後の焼成温度で所定時間、例えば１５時間程度素焼きする。
【００６０】
その後、成型体の表裏面に弗素樹脂をコートして加熱焼成する。なお、焼成温度、雰囲気、時間等の焼成条件は使用するコート材の種類により最適に設定される。
【実施例２】
【００６１】
次に、図３を参照して本発明の実施例２に係る炊飯器を説明する。なお、図３は本発明の実施例２に係る炊飯器の縦断面図である。
【００６２】
この炊飯器１Ａは、実施例１の炊飯器１の釜収容ケースを珪藻土で形成したものである。その他の構成は、同じであるので、同一符号を付して説明を省略する。
【００６３】
釜収容ケース４Ａは、全体が珪藻土層と、この珪藻土層の表裏面に保護層が形成された構成を有している。珪藻土層および保護層は、実施例１と同じものとなっている。
【００６４】
また、この収容ケース４Ａは、その底部に開口４Ｃが形成されている。この開口４Ｃには温度センサ７が装着されている。釜収容ケース４Ａは、全体が珪藻土層で形成されているので、実施例１の筒状断熱部材を設けたものに比べて、より断熱効果及び蓄熱効果に優れ保温特性が良くなる。また、重量も軽くすることができる。
【図面の簡単な説明】
【００６５】
【図１】図１は本発明の実施例１に係る炊飯器の縦断面図である。
【図２】図２（ａ）は筒状断熱部材の外観斜視図、図２（ｂ）は図２（ａ）のＡ部分の拡大断面図である。
【図３】図３は本発明の実施例２に係る炊飯器の縦断面図である。
【符号の説明】
【００６６】
１  炊飯器
２  釜
３  外装ケース
４、４Ａ  釜収容ケース
５  筒状断熱部材
５’  断熱層
５”  断熱部材
５Ａ  珪藻土層
５Ｂ１、５Ｂ２  保護層
７  温度センサ
８  炊飯器本体
１４  蓋体
１７  圧力弁機構
１９  係止手段
【図１】
2008154831.tif 000003
【図２】
2008154831.tif 000004
【図３】
2008154831.tif 000005